(57)【要約】【課題】複数のランタンを脱着自在に連結できる構造として、複数のランタンを連結してひとつの明るいランタンとして使用できるようにしながら、複数のランタンに分離して、多数のユーザーが複数の場所で使用して、便利に使用できるようにする。【解決手段】ランタンは、電池１と、電池１で発光する光源４とを有する基台２と、この基台２に連結してなる透光性のランプシェード３とを備えている。ランタンは、基台２の下端部と、ランプシェード３の上端部とを、互いに脱着自在に連結できる脱着連結構造としており、ひとつのランタンの基台２の下端部に、別のランタンのランプシェード３の上端部を連結して複数のランタンを一体的に連結して使用でき、かつ、基台２とランプシェード３を分離して別々のランタンとして使用できるようにしている。【選択図】図１２
2010160979.tif 000002
【特許請求の範囲】
【請求項１】
電池(1)と、電池(1)で発光する光源(4)とを有する基台(2)、(52)と、この基台(2)、(52)に連結してなる透光性のランプシェード(3)、(53)とを備えるランタンであって、
前記基台(2)、(52)の下端部と、前記ランプシェード(3)、(53)の上端部とが、互いに脱着自在に連結できる脱着連結構造で、ひとつのランタンの基台(2)、(52)の下端部に、別のランタンのランプシェード(3)、(53)の上端部を連結して複数のランタンを一体的に連結して使用でき、かつ前記基台(2)、(52)とランプシェード(3)、(53)とを分離して別々のランタンとして使用できるようにしてなるランタン。
【請求項２】
前記ランプシェード(3)が上端を閉塞してなる円筒状で、前記基台(2)がランプシェード(3)の外径に等しい円柱状で、前記基台(2)の上縁にランプシェード(3)の下端縁を連結する外周壁(6A)を有し、前記ランプシェード(3)の下端縁に外周壁(6A)の内側に挿入して連結される挿入筒(34)を設けており、挿入筒(34)を外周壁(6A)の内側に挿入して、前記基台(2)にランプシェード(3)を連結して、全体を円柱状としてなる請求項１に記載されるランタン。
【請求項３】
前記基台(2)が、上面を透明プレート(7)で閉塞してなるケース(5)と、このケース(5)の透明プレート(7)の下に配置して上方に光を照射する光源(4)と、この光源(4)の下に配置してなる電池(1)とを備える請求項１に記載されるランタン。
【請求項４】
前記光源(4)が発光ダイオード(4A)で、前記電池(1)が充電できる電池である請求項１に記載されるランタン。
【請求項５】
前記基台(2)が防水構造である請求項１に記載されるランタン。
【請求項６】
前記ランタンを上下反転姿勢または横向きに傾けた水平姿勢で吊り下げられる吊り下げ部(10)、(60)を有する請求項１に記載されるに記載されるランタン。
【請求項７】
前記基台(2)が下面に反射鏡(9)を有し、下方に連結されるランプシェード(3)の光を反射するようにしてなる請求項１に記載されるランタン。
【請求項８】
前記ランプシェード(3)の上端部に吊り下げ部(10)を設けている請求項１に記載されるランタン。
【請求項９】
前記ランプシェード(3)の上端面(35)を中央凸の形状としている請求項１に記載されるランタン。
【発明の詳細な説明】
【技術分野】
【０００１】
本発明は、電池を電源として使用するランタンに関し、とくに複数個を脱着自在に直列に連結できるランタンに関する。
【背景技術】
【０００２】
電池を電源とするランタンは開発されている。（特許文献１参照）
この公報に記載されるランタンは、ランプシェード部を交換できる構造としている。このランタンは、使用する環境に最適なランプシェードに交換できるので、使用環境によって最適なランプシェードを選択してセットできる。
【先行技術文献】
【特許文献】
【０００３】
【特許文献１】特開２００８−２７７２３０号公報
【発明の概要】
【発明が解決しようとする課題】
【０００４】
しかしながら、以上のランタンは、複数個を連結してひとつの明るいランタンとして使用し、あるいは複数のランタンに分離して複数の場所や複数のユーザーが使用することができない欠点がある。
【０００５】
本発明は、この欠点を解決することを目的に開発されたものである。本発明の重要な目的は、複数のランタンを脱着自在に連結できる構造とすることで、複数のランタンを連結してひとつの明るいランタンとして使用でき、また、複数のランタンに分離して使用することで、多数のユーザーが複数の場所で使用して、便利に種々の使用環境において最適な状態で使用できるランタンを提供することにある。
【課題を解決するための手段及び発明の効果】
【０００６】
本発明のランタンは、電池１と、電池１で発光する光源４とを有する基台２、５２と、この基台２、５２に連結してなる透光性のランプシェード３、５３とを備えている。ランタンは、基台２、５２の下端部と、ランプシェード３、５３の上端部とを、互いに脱着自在に連結できる脱着連結構造としており、ひとつのランタンの基台２、５２の下端部に、別のランタンのランプシェード３、５３の上端部を連結して複数のランタンを一体的に連結して使用でき、かつ、基台２、５２とランプシェード３、５３とを分離して別々のランタンとして使用できるようにしている。
【０００７】
以上のランタンは、複数のランタンを脱着自在に連結することで、ひとつの明るいランタンとして使用でき、また複数のランタンに分離することで、多数のユーザーが複数の場所で使用して、便利に種々の使用環境において最適な状態で使用できる特徴がある。
【０００８】
本発明のランタンは、ランプシェード３を、上端を閉塞してなる円筒状とし、基台２をランプシェード３の外径に等しい円柱状とし、基台２の上縁にランプシェード３の下端縁を連結する外周壁６Ａを設けて、ランプシェード３の下端縁に外周壁６Ａの内側に挿入して連結される挿入筒３４を設けて、挿入筒３４を外周壁６Ａの内側に挿入して、基台２にランプシェード３を連結して、全体を円柱状とすることができる。
以上のランタンは、ランプシェードを基台に連結して全体の形状を円柱状としているので、複数のランタンを連結することで長い円柱状として便利に使用できる。
【０００９】
本発明のランタンは、基台２が、上面を透明プレート７で閉塞してなるケース５と、このケース５の透明プレート７の下に配置して上方に光を照射する光源４と、この光源４の下に配置してなる電池１とを備えることができる。
以上のランタンは、基台のケースに、光源と電池を設けて、これにランプシェードを連結する簡単な構造とする。このランタンは、基台とランプシェードとを別々に製造し、基台とランプシェードとの間で配線などをすることなく、ランプシェードを基台に連結して簡単に組み立てできる。このため、安価に多量生産できる特徴がある。
【００１０】
本発明のランタンは、光源４を発光ダイオード４Ａとして、電池１を充電できる電池とすることができる。
以上のランタンは、発光ダイオードによって、電池の消耗を少なくしながら明るく照射でき、また、充電できる電池を使用することで、充電して繰り返し使用できる。
【００１１】
本発明のランタンは、基台２を防水構造とすることができる。このランタンは、屋外で安心して使用できる。
【００１２】
本発明のランタンは、ランタンを上下反転姿勢または横向きに傾けた水平姿勢で吊り下げる吊り下げ部１０、６０を有することができる。本明細書において、「横向きに傾けた水平姿勢」とは、ランタンを、図１に示す上下姿勢から水平方向に傾けた姿勢であって、全体を横向きとする姿勢を意味するものとする。
以上のランタンは、上下反転姿勢で吊り下げて使用することができ、または横向きに傾けた水平姿勢で吊り下げて使用することができる。とくに、複数のランタンを連結して細長い形状とする状態では、上下反転して吊り下げて使用することで、転倒しないように安定して使用できる。また、横向きに傾けた水平姿勢で吊り下げる使用状態では、上下姿勢や上下反転姿勢での使用状態とは異なる方向を明るく照らしながら便利に使用できる。
【００１３】
本発明のランタンは、基台２が下面に反射鏡９を備えて、下方に連結されるランプシェード３の光を反射することができる。
以上のランタンは、複数個を直線状に連結する状態で、ランプシェードを連結している基台の反射鏡で光を反射することで有効に光を外部に照射できる。このため、複数のランタンを連結して使用する状態で、明るくできる特徴がある。
【００１４】
本発明のランタンは、ランプシェード３の上端部に吊り下げ部１０を設けることができる。このランタンは、基台を下にする姿勢で吊り下げて使用することができる。
【００１５】
本発明のランタンは、ランプシェード３の上端面３５を中央凸の形状とすることができる。このランタンは、ランプシェードを下にして載せ台に載せると不安定になるので、ユーザーがこの姿勢で使用することがなく、ランプシェードの上面が載せ台に接触して傷が付くのを防止できる。
【図面の簡単な説明】
【００１６】
【図１】本発明の一実施例にかかるランタンの斜視図である。
【図２】図１に示すランタンの底面斜視図である。
【図３】図１に示すランタンの分解斜視図である。
【図４】図３に示すランタンの基台の分解斜視図である。
【図５】図４に示す基台を異なる角度から見た分解斜視図である。
【図６】図２に示すランタンの基台の分解斜視図である。
【図７】図１に示すランタンの垂直断面図である。
【図８】図１に示すランタンを上下反転して使用する状態を示す斜視図である。
【図９】図１に示すランタンを上下姿勢で吊り下げて使用する状態を示す斜視図である。
【図１０】図１に示すランタンを上下反転姿勢で吊り下げて使用する状態を示す斜視図である。
【図１１】図１に示すランタンを横向きに傾けた水平姿勢で吊り下げて使用する状態を示す斜視図である。
【図１２】複数のランタンを連結する状態を示す斜視図である。
【図１３】図１に示すランタンを複数個連結して使用する状態を示す斜視図である。
【図１４】本発明の他の実施例にかかるランタンの底面斜視図である。
【図１５】図１４に示すランタンを複数個連結する状態を示す斜視図である。
【発明を実施するための形態】
【００１７】
以下、本発明の実施例を図面に基づいて説明する。ただし、以下に示す実施例は、本発明の技術思想を具体化するためのランタンを例示するものであって、本発明はランタンを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１ないし図１１に示すランタンは、電池１と、電池１で発光する光源４とを有する基台２と、この基台２に連結している透光性のランプシェード３とを備える。
【００２０】
基台２は、上面を透明プレート７で閉塞して、底面を底プレート８で閉塞しているケース５と、このケース５の透明プレート７の下に配置して上方に光を照射する光源４と、この光源４の下に配置している電池１とを備える。
なお、本明細書における上下方向は、図１に示す上下方向とする。
【００２１】
ケース５は、透明プレート７と底プレート８とケース本体６とをプラスチックで別々に成形している。透明プレート７は、下方に配置する光源４である発光ダイオード４Ａの光を下から上に透過するように透光性のプラスチックで円盤状に成形している。さらに、透明プレート７は、外周縁に沿って周壁７Ａを一体的に成形して設けており、この周壁７Ａとケース本体６の内面との間にＯリング１１を配置して、防水構造でケース本体６の上面を閉塞している。周壁７Ａは、ケース本体６を貫通する止ネジ１２とこの止ネジ１２にねじ込んでいるナット１３に挟着されてケース本体６に固定される。周壁７Ａは、円筒状に成形しているケース本体６の内径に外径をほぼ等しくして、その外周面に、Ｏリング１１を案内するリング溝１４を設けている。周壁７Ａは、ケース本体６に固定される状態で、上端縁をケース本体６の上端縁よりも低くして、ケース本体６の上端部の内側にランプシェード３を挿入できるようにしている。
【００２２】
底プレート８は、円筒状に成形しているケース本体６の底面を閉塞する。底プレート８は、全体の形状を円盤状に成形して、外周縁に沿って下方に突出する側壁８Ａを一体的に成形して設けている。側壁８Ａは、円筒状のケース本体６の内面に沿うように、その外径をケース本体６の内径にほぼ等しくしている。底プレート８は、側壁８Ａをケース本体６の内側に挿入し、底プレート８を貫通する止ネジ１５をねじ込んで、ケース本体６に固定している。この連結構造は、止ネジ１５を外して底プレート８をケース本体６から脱着できる。ただ、底プレートは、側壁をケース本体の内側に挿入して、これを回転して固定できる連結構造とすることもできる。この連結構造は、たとえば、側壁の外周面とケース本体の内面のいずれか一方に連結凸部を設けて、他方に、連結凸部を案内して係止する係止凹部を設け、係止凹部に連結凸部を案内する構造で実現できる。また、側壁の外側に雄ネジを設け、ケース本体の内面に雌ネジを設ける連結構造とすることもできる。以上のように、底プレート８をケース本体６に脱着できる基台２は、詳細には後述するが、基台２に内蔵される電池１を、底プレート８を外して交換できる。ただ、底プレートは、側壁をケース本体の内面に接着し、あるいは溶着してケース本体に固定することもできる。
【００２３】
基台２は、図２と図７に示すように、底プレート８の下面に反射鏡９を設けている。基台２は、ケース本体６の底面に底プレート８を設けているので、底プレート８の下面に反射鏡９を設けている。図の基台２０は、プラスチック製の底プレート８の下面を金属メッキして反射鏡９を設けている。ただし、基台は、底プレートの下面に、金属製、ガラス製、プラスチック製の反射鏡を固定することもできる。反射鏡９は、複数のランタンを直線状に連結する状態（図１２及び図１３参照）で、ランプシェード３の上方に放射される光を反射して、効率よく外部に照射できる。
【００２４】
ケース本体６は、ランプシェード３と同じ外径の円筒状に成形している。ケース本体６は、透明プレート７から上方に突出する部分を外周壁６Ａとして、この外周壁６Ａの内側にランプシェード３を連結している。さらに、ケース本体６は、側面に貫通孔１６を設けて、この貫通孔１６の内側に電源スイッチ１７を配置している。貫通孔１６は、ゴム状弾性シート１８で水密に閉塞している。このゴム状弾性シート１８を介して、ケース本体６の電源スイッチ１７はオンオフに切り換えられる。電源スイッチ１７は、電池１と光源４との間に接続されて、オン状態で光源４を点灯し、オフ状態で光源４を消灯する。さらに、ケース本体６は、電池１を充電する外部電源（図示せず）を接続する電源コネクタ１９を設けている。
【００２５】
また、基台２のケース本体６は、ランタンを上下反転姿勢で吊り下げられるように、吊り下げ部１０を一体的に成形して設けている。図のケース本体６は、下部の外側に突出するふたつのリング１０Ａを一体的に成形して設けて、吊り下げ部１０としている。この構造は、吊り下げ部１０に、図８の鎖線で示す紐２０を挿通して、ランタンを上下反転して吊り下げて使用できる。
【００２６】
図の基台２は、ケース５にリング１０Ａを設けて吊り下げ部１０としているが、吊り下げ部１０は、この構造には特定しない。たとえば、吊り下げ部は、図１４に示すように、ケース５５の下端部の内側にあって、両端をケース５５の対向位置に連結している線材６０Ａで実現することもできる。この線材６０Ａは、全体をアーチ状として、両端を回転できるようにケース５５に連結することで、使用するときは、ケース５５から下方に突出するアーチ状として、使用しないときはケース５５の下端部に収納する構造とする。この吊り下げ部６０は、ケース５５から突出させる状態で、アーチ状の線材６０Ａを部屋のフック等に引っ掛けて使用し、あるいはこれに紐を通して、紐で吊り下げて使用することができる。
【００２７】
基台２のケース５は、その下端部に、ランプシェード３の上端部を脱着自在に連結できる脱着連結構造としている。図の基台２は、ケース本体６の底面に底プレート８を連結しているので、底プレート８の側壁８Ａを、ランプシェード３に脱着自在に連結できる脱着連結構造としている。基台２の脱着連結構造は、側壁８Ａに設けた脱着係止溝２１で実現される。脱着係止溝２１は、図２と図６において上下方向に伸びる案内溝部２１Ａと、この案内溝部２１Ａに連結されて、ランプシェード３の回転方向に伸びる係止部２１Ｂとからなる。この脱着連結構造は、ランプシェード３の上端部に設けている脱着凸部３１を案内溝部２１Ａから係止部２１Ｂに案内して、ランプシェード３を基台２に脱着自在に連結する。この脱着連結構造は、ランプシェード３の脱着凸部３１を基台２の案内溝部２１Ａに案内するように、ランプシェード３の上端部を基台２の下端部に挿入し、この状態でランプシェード３を回転して、脱着凸部３１を係止部２１Ｂに入れて、外れないように連結できる。この脱着連結構造の脱着係止溝２１は、基台２の下端部の２カ所に、あるいは複数カ所に均等に設けられて、ランプシェード３を基台２に確実に連結する。
【００２８】
ただし、本発明は、脱着連結構造を以上の構造に特定するものでない。ランタンは、たとえば、図１４と図１５に示すように、ランプシェード５３の上端部の外周に雄ネジ６３を設け、基台５２の下端縁の内面に雌ネジ６２を設け、雄ネジ６３を雌ネジ６２にねじ込んで脱着自在に連結することもできる。さらに、ランタンは、ランプシェードの上端を、脱着自在に基台の下端に連結できる他の全ての構造とすることができる。
【００２９】
基台２は、図４、図５、及び図７に示すように、ケース本体６の内部であって、透明プレート７の下に、回路基板２３を配置している。図の回路基板２３は、止ネジ２５を介してケース本体６に水平に固定している。回路基板２３は、上面に光源４の発光ダイオード４Ａを固定している。図に示す回路基板２３は、中心に１個の光源４を固定している。光源４は、チップタイプの白色に発光する発光ダイオード４Ａで、光を上方に所定の放射角度で照射する。発光ダイオード４Ａから照射される光は、透明プレート７を透過してランプシェード３を照射する。光源４には発光ダイオード４Ａが適しているが、発光ダイオードに代わって、電球やＥＬランプ等も使用できる。
【００３０】
さらに、図４と図７に示す回路基板２３は、パイロットランプ２４の発光ダイオード２４Ａも連結している。この発光ダイオード２４Ａは、光源４の発光ダイオード４Ａと異なる色に発光する。この発光ダイオード４Ａは赤色に発光して、光を透明プレート７からランプシェード３の外側に照射して、電源スイッチ１７のオン状態を表示する。
【００３１】
さらに、基台２は、ケース本体６に、電源スイッチ１７を固定するサブ基板２６を固定している。サブ基板２６は、下面に電源スイッチ１７を固定している。この電源スイッチ１７は、押しボタン１７Ａをゴム状弾性シート１８の内側に配置している。ゴム状弾性シート１８を介して押しボタン１７Ａが押されて、電源スイッチ１７はオンオフに切り換られる。
【００３２】
さらに、基台２は、電源コネクタ１９を連結する固定基板２７をケース本体６の内面に固定している。この固定基板２７には、電源コネクタ１９の接続ピン１９Ａを固定している。接続ピン１９Ａは、ケース本体６を水密構造に内側から外側に突出して、ケース本体６に電源コネクタ１９を設けている。電源コネクタ１９から入力される電池１の充電電力は、回路基板２３に実装している充電回路（図示せず）を介して電池１に接続されて電池１を充電する。
【００３３】
さらに、基台２は、図６に示すように、電池１を収納する電池ホルダー２８をケース本体６に設けている。図のケース本体６は、下面に凹部を設けて電池ホルダー２８としている。図の基台２は、電池ホルダー２８に３本の電池１を平行に収納している。これらの電池１は、充電できる電池、たとえばニッケル水素電池、リチウムイオン電池、ニッケルカドミウム電池とすることができる。電池ホルダー２８に収納される複数の電池１は、互いに直列に接続されて、電源スイッチ１７を介して光源４の発光ダイオード４Ａに接続される。図６の基台２は、ケース本体６の電池ホルダー２８に電池１を収納すると共に、防水シート２９を介して底プレート８をケース本体６に固定して、電池１を防水構造で収納している。以上の構造の基台２は、電池ホルダー２８に収納される電池１を、底プレート８を取り外して交換することができる。ただ、基台は、必ずしも底プレートを取り外しできる構造として、電池を交換できる構造とする必要はない。それは、前述の電源コネクタを介して外部電源から供給される電力で電池を充電して、繰り返し使用できるからである。
【００３４】
ランプシェード３は、透光性のプラスチックを、上端を閉塞する円筒状に成形している。ランプシェード３は、全面から均等に光を照射するように、内面と外面を凹凸面３０に成形している。図のランプシェード３は、内面に長手方向に伸びる複数の縦溝３０Ａを平行に設け、外面には円周方向に伸びる複数の横溝３０Ｂを平行に設けて、全面を均一に発光できるようにしている。
【００３５】
ランプシェード３は上端部に、基台２に脱着自在に連結できる脱着連結構造を設けている。ランプシェード３は、上端部に脱着連結構造を設けるために、上端部を細くして段差部３３を設けている。段差部３３は、基台２のケース５の内側に挿入できるように、その外径を基台２のケース５の内径にほぼ等しく、正確にはわずかに小さくしている。さらに、段差部３３は、前述したように、基台２のケース５に設けている脱着係止溝２１に案内される脱着凸部３１を一体的に成形して設けている。脱着凸部３１は、回転方向に細長い凸条で、基台２のケース５に設けている脱着係止溝２１に挿入できる形状に成形している。
【００３６】
さらに、図７のランプシェード３は、上端面３５を中央凸の形状としている。このランタンは、ランプシェード３を下にして載せ台に載せると不安定になるので、ユーザーがこの姿勢で載せ台に載せて使用することがない。したがって、ランプシェード３の上面が載せ台に接触して傷が付くのを有効に防止できる。
【００３７】
さらに、図のランプシェード３は、上端部に吊り下げ部１０を設けている。図のランプシェード３は、上端部の両側であって、外側に突出するふたつのリング１０Ａを一体的に成形して設けて吊り下げ部１０としている。この構造は、図示しないが、ランプシェードの上端部の両側に設けた一対の吊り下げ部に紐を挿通して、基台を下にする上下姿勢でランタンを吊り下げて使用することができる。
【００３８】
さらに、図のランタンは、基台２の両側に設けた一対のリング１０Ａである吊り下げ部１０と、ランプシェード３の上端部の両側に設けた一対のリング１０Ａである吊り下げ部１０とを互いに対向する位置に配置している。この構造のランタンは、図９ないし図１１に示すように、４つの吊り下げ部１０に１本の紐４０を挿通して、種々の姿勢で吊り下げて使用することができる。図９は、ランプシェード３の上端部に設けた一対の吊り下げ部１０の間において紐４０を上方に引き出して提げ部４０Ａとし、ランタンを上下姿勢で吊り下げて使用する状態を示している。また、図１０は、ランタンを上下反転する姿勢とすると共に、基台２に設けた一対の吊り下げ部１０の間において紐４０を上方に引き出して提げ部４０Ａとし、ランタンを上下反転姿勢で吊り下げて使用する状態を示している。さらにまた、図１１は、ランタンを水平方向に傾けた水平姿勢とすると共に、片側の側面に位置する一対の吊り下げ部１０の間において紐４０を上方に引き出して提げ部４０Ａとし、ランタンを水平姿勢で吊り下げて使用する状態を示している。とくに、ランタンを水平姿勢とする使用状態では、図１１に示すように、ユーザーが提げ部４０Ａを肩に通して、ランタンを肩から提げる状態で使用して、便利に持ち運びできる。この状態で使用されるランタンは、ランプシェード３の上端面３５を透光面として、この面を前方に向ける水平姿勢とすることで、光源４から照射される光で前方を明るく照らすと共に、ランプシェード３の外周面から照射される光でランタンの周囲を照らして便利に使用できる。図１１に示すランタンは、ランプシェード３の上端面３５を前方の斜め下方向に向けて、足下を照らす水平姿勢としている。ただ、ランタンは、ランプシェードの上端面を斜め上方向に向ける水平姿勢として吊り下げることもできる。したがって、本明細書において、ランタンを横向きに傾けた水平姿勢で吊り下げるとは、水平方向から上下方向に傾けた姿勢で吊り下げる状態を含む広い意味で使用する。以上のように、４つの吊り下げ部１０に１本の紐４０を挿通する構造は、上方に引き出す提げ部４０Ａの位置を変更することで、吊り下げられるランタンの姿勢を簡単かつ容易に変更して便利に使用できる。ただ、ランタンは、必ずしも４つの吊り下げ部に紐を挿通する必要はなく、任意の２箇所に紐を通して種々の姿勢で吊り下げることもできる。
【００３９】
さらに、ランプシェード３は、図３と図７に示すように下端の開口縁を、基台２のケース本体６の外周壁６Ａの内側に挿入して連結している。このランプシェード３は、基台２のケース本体６の上端部に設けている外周壁６Ａに挿入して連結する挿入筒３４を下端縁に設けている。ランプシェード３は、下端部の外周に段差を設けて挿入筒３４を設けている。この挿入筒３４は、外径をケース本体６の外周壁６Ａの内径よりもわずかに小さくして、外周壁６Ａの内側に挿入できる筒状としている。さらに、挿入筒３４は、下端の外側に、複数の係止凸部３２を設けている。この係止凸部３２は、外周壁６Ａの内面に設けている係止部２２に係止されて、ランプシェード３を基台２のケース本体６に抜けないように連結している。このランタンは、図３に示すように、基台２にランプシェード３を連結して組み立てられる。
【００４０】
以上のランタンは、複数のランタンを連結して使用する状態にあっては、図１２、図１３、及び図１５に示すように、上のランタンの基台２の下端に下のランタンのランプシェード３の上端を連結する。この状態で複数のランタンを直線状に連結してひとつの明るいランタンとして使用する。この状態で、基台２を水平な載せ台の上において設置することもできるが、上下反転して基台２に設けている吊り下げ部１０で吊り下げて使用することで、倒れないように安定して使用できる。また、各々のランタンを分離して使用することで、複数のユーザーが別々に使用できる。
【符号の説明】
【００４１】
１…電池
２…基台
３…ランプシェード
４…光源                          ４Ａ…発光ダイオード
５…ケース
６…ケース本体                    ６Ａ…外周壁
７…透明プレート                  ７Ａ…周壁
８…底プレート                    ８Ａ…側壁
９…反射鏡
１０…吊り下げ部                  １０Ａ…リング
１１…Ｏリング
１２…止ネジ
１３…ナット
１４…リング溝
１５…止ネジ
１６…貫通孔
１７…電源スイッチ                １７Ａ…押しボタン
１８…ゴム状弾性シート
１９…電源コネクタ                １９Ａ…接続ピン
２０…紐
２１…脱着係止溝                  ２１Ａ…案内溝部
２１Ｂ…係止部
２２…係止部
２３…回路基板
２４…パイロットランプ            ２４Ａ…発光ダイオード
２５…止ネジ
２６…サブ基板
２７…固定基板
２８…電池ホルダー
２９…防水シート
３０…凹凸面                      ３０Ａ…縦溝
３０Ｂ…横溝
３１…脱着凸部
３２…係止凸部
３３…段差部
３４…挿入筒
３５…上端面
４０…紐                          ４０Ａ…提げ部
５２…基台
５３…ランプシェード
５５…ケース
６０…吊り下げ部                  ６０Ａ…線材
６２…雌ネジ
６３…雄ネジ
【図１】
2010160979.tif 000003
【図２】
2010160979.tif 000004
【図３】
2010160979.tif 000005
【図４】
2010160979.tif 000006
【図５】
2010160979.tif 000007
【図６】
2010160979.tif 000008
【図７】
2010160979.tif 000009
【図８】
2010160979.tif 000010
【図９】
2010160979.tif 000011
【図１０】
2010160979.tif 000012
【図１１】
2010160979.tif 000013
【図１２】
2010160979.tif 000014
【図１３】
2010160979.tif 000015
【図１４】
2010160979.tif 000016
【図１５】
2010160979.tif 000017